(57)【特許請求の範囲】
【請求項１】
調整可能なポケットストッパ（２４）を有する折りポケット（１８）を備えた折り機構において、シート（１０）の走行中にポケット折り機構内に走入してからポケットストッパ（２４）に達するまでの第１の時点を把握する手段（２６；４０）と、シート（１０）の走行中に折り形成から折りポケット（１８）を出るまでの第２の時点を把握する手段（２８；４０）と、前記両方の手段の出力信号から、シートの、折りポケット内へ送られたシート長の現在値（Ｌｓ＋ΔＬ）を調べる手段（３０，３２，３４）とが設けられており、さらに、折りポケット内へ送り込まれたシート長の調べられた前記現在値（Ｌｓ＋ΔＬ）と目標値（Ｌｓ）との間の偏差に依存してポケットストッパ（２４）を調節する調節装置が設けられていることを特徴とする、ポケット折り機構。
【請求項２】
第１の時点を把握する手段がポケット折り機構内へのシート走入を把握する手段として構成されていることを特徴とする、請求項１記載のポケット折り機構。
【請求項３】
シート走入を把握する手段が少なくとも１つの光学的なセンサ（２６）を有していることを特徴とする、請求項２記載のポケット折り機構。
【請求項４】
折りポケット（１８）がポケット下リップ（２２）を備えたポケット口を有しており、第２の時点を把握する手段が折り形成の際にポケット下リップ（２２）のふれを把握する手段（２８）として構成されていることを特徴とする、請求項１から３までのいずれか１項記載のポケット折り機構。
【請求項５】
ポケット下リップ（２２）のふれを把握する手段が距離把握手段として構成されていることを特徴とする、請求項４記載のポケット折り機構。
【請求項６】
ポケット下リップ（２２）のふれを把握する手段が少なくとも１つの光学的なセンサを有していることを特徴とする、請求項４又は５記載のポケット折り機構。
【請求項７】
ポケット下リップ（２２）のふれを把握する手段が、ポケット下リップ（２２）に配置されたストレンゲージを有していることを特徴とする、請求項４記載のポケット折り機構。
【請求項８】
ポケット下リップ（２２）のふれを把握する手段が、ポケット下リップ（２２）に配置された圧電形のセンサを有していることを特徴とする、請求項４記載のポケット折り機構。
【請求項９】
第１の時点を把握する手段が折りポケット（１８）内へのシート走入を把握する手段として構成されており、第２の時点を把握する手段が折りポケット（１８）からのシート走出を把握する手段として構成されていることを特徴とする、請求項１記載のポケット折り機構。
【請求項１０】
折りポケット（１８）がポケット口を有しており、シート走入及びシート走出を把握する手段がポケット口に配置されていることを特徴とする、請求項９記載のポケット折り機構。
【請求項１１】
シート走入を把握する手段及びシート走出を把握する手段が１つの共通な光学的なセンサ（４０）を有していることを特徴とする、請求項９又は１０記載のポケット折り機構。
【請求項１２】
第１の時点と第２の時点との間に送られるシート長を調べる手段が、１つの折りロール（１６）に配属されたパルス発生器（３０，３２）と計数装置とを有していることを特徴とする、請求項１から１１までのいずれか１項記載のポケット折り機構。
【請求項１３】
第１の時点を把握する手段がシート走行区間の特定の位置においてシート前縁を把握する手段として構成されており、第２の時点を把握する手段が折られたシートの折り縁を把握する手段として構成されていることを特徴とする、請求項１記載のポケット折り機構。
【請求項１４】
折られたシートの折り縁を把握する手段が光電検出系を含んでおり、この光電検出系は電磁線を出す送信器と電磁線を受信するための所属の受信器とを含んでいることを特徴とする、請求項１３記載のポケット折り機構。
【請求項１５】
送信器（４０）と受信器（４２）との間の直線の接続線が折りロール（１４，１６）の軸線（１５，１７）に対して角度をなして配置されていることを特徴とする、請求項１４記載のポケット折り機構。
【請求項１６】
光電検出系がレーザ光線送信ユニットとレーザ光線受信器とを有していることを特徴とする、請求項１４又は１５記載のポケット折り機構。
【請求項１７】
調整可能な折りポケット（１８）が少なくとも１つの電気的に付勢可能な調節装置（３６）を有しており、かつ制御ユニット（３４）が設けられており、この制御ユニットは、第１の時点を把握する手段（２６；４０）、第２の時点を把握する手段（２８；４０）及び第１の時点と第２の時点との間に送られるシート長を調べる手段（３０，３２，３４）の信号を処理して、折りポケット（１８）の電気的に付勢可能な調節装置（３６）を制御することを特徴とする、請求項１から１６までのいずれか１項記載のポケット折り機構。
【請求項１８】
電気的に付勢可能な調節装置（３６）が折りポケットストッパ（２４）を制御することを特徴とする、請求項１７記載のポケット折り機構。
【請求項１９】
電気的に付勢可能な調節装置が折りポケット広さを調節することを特徴とする、請求項１７又は１８記載のポケット折り機構。
【請求項２０】
電気的に付勢可能な調節装置が少なくとも１つの折りポケットリップを調節することを特徴とする、請求項１７から１９までのいずれか１項記載のポケット折り機構。
【請求項２１】
電気的に付勢可能な調節装置がせき止め室を変化させるために折りポケット口をずらすことを特徴とする、請求項１７から２０までのいずれか１項記載のポケット折り機構。
【請求項２２】
制御ユニットがマイクロプロセッサを有していることを特徴とする、請求項１７から２１までのいずれか１項記載のポケット折り機構。
【請求項２３】
少なくとも１つの光学的なセンサ（２６）が個々のシート（１０）上における印刷像開始点を把握するために設けられていることを特徴とする、請求項１から２２までのいずれか１項記載のポケット折り機構。
【請求項２４】
制御ユニット（３４）が更に印刷像開始点を把握するセンサ（２６）の信号を処理することを特徴とする、請求項１７から２２までのいずれか１項記載のポケット折り機構。
【請求項２５】
学習段階において、第１の時点と第２の時点との間に送られるシート長の目標値（Ｌｓ）を把握し、生産運転中に、シートの、折りポケット内へ送られたシート長の調べられた現在値（Ｌｓ＋ΔＬ）を、前記目標値（Ｌｓ）と合致させるために、電気的に付勢可能な調節装置（３６）の制御によってポケットストッパ（２４）を調節することを特徴とする、請求項１から２４までのいずれか１項記載のポケット折り機構の見当制御をする方法。
【請求項２６】
請求項１から２４までのいずれか１項記載の少なくとも１つのポケット折り機構を有する折り機。
【発明の詳細な説明】
【０００１】
【発明の属する技術分野】
本発明は、調整可能な折りポケット（折り用ブレード）を有するポケット折り機構に関する。更に本発明はポケット折り機構の見当制御をする方法に関する。
【０００２】
【従来の技術】
公知のポケット折り機構は、３つの一緒に駆動され同じ回転数で回転する折りロールと、１つの折りポケットとを有している。折りロールは大体において直角三角形の頂点に配置されており、その際両方の互いに鉛直に上下に配置されている折りロールは走入するシートを折りポケット内に、任意に調節可能であるポケットストッパまで搬送する。シートは、紙性質に調和せしめられた走行速度で折りポケット内に搬送される。紙の前縁がポケットストッパに打ち当たる際及び同時にシートが更に搬送される際に、３つの折りロールの間でせき止め室内にたるんだせき止め折りが形成され、このせき止め折りは、両方の水平に互いに並んで配置され互いに逆向きに回転する折りロールによってつかまれる。次いで、せき止め折りが折りロールを通過する場合に、折りが形成される。ポケットストッパ、折りポケットの広さ並びにせき止め室に対するポケット口及びポケットリップの位置は、使用される紙の品質及び紙判に合わせて調整しなければならない。この調整は空気湿度が変化する場合にも行わなければならない。それはこれによって紙の堅さが変化するからである。更に生産速度が変化すると、折りポケット若しくはせき止め室内での紙の変形が変化せしめられ、したがって折り目をシート上でずらし、折り機構を場合により後調節しなければならない。この場合、シート上における折り目の位置偏差は完成した折りシートにおいて初めて確認することができる。
【０００３】
【発明が解決しようとする課題】
本発明は、折りシート上での折り目位置の偏差を生産中に確認することのできるポケット折り機構を創造する。更に、シート上での折り目の位置の制御が可能であるポケット折り機構を示す。加えて、生産速度が変化する場合にシート上における折り目のコンスタントな位置を補償する、ポケット折り機構の見当制御をする方法を示す。
【０００４】
【課題を解決するための手段】
このために本発明によれば、調整可能なポケットストッパを有する折りポケットを備えた折り機構において、シートの走行中にポケット折り機構内に走入してからポケットストッパに達するまでの第１の時点を把握する手段と、シートの走行中に折り形成から折りポケットを出るまでの第２の時点を把握する手段と、前記両方の手段の出力信号から、シートの、折りポケット内へ送られたシート長の現在値を調べる手段とが設けられており、さらに、折りポケット内へ送り込まれたシート長の調べられた前記現在値と目標値との間の偏差に依存してポケットストッパを調節する調節装置が設けられているようにした。
【０００５】
本発明は次のような認識に基づくものである。すなわち、シート上に置ける折り目の位置の偏差は、シートが折りポケット内であるいはせき止め室内でせき止められる前の時点と折り形成の時点との間で送られたシート長、それも折り形成が既に行われていてシートのせき止めがもはや存在していない時点に確認することのできるシート長に関連しているという認識である。すなわちシートが調整運転における目標堅さよりもわずかな堅さを有している場合には、シートは折りポケット内であるいはせき止め室内で、過度に変形せしめられ、したがって調整運転におけるよりもより大きなシート長が折りポケット若しくはせき止め室内に送られる。折り形成はこれによって、調整運転におけるよりもより大きなシート長が送られたより遅くの時点で初めて行われる。シート上における折り目の位置の偏差はしたがって折り形成までに送られたシート長を決定することによって、それも折り形成が既に行われてシートのせき止めがもはや存在していない時点までに送られたシート長を決定することによって、調べることができる。調整運転中に、送られるシート長のために、規定どおりの折り形成を特徴付ける目標値を決定することができる。折り目の位置の偏差はこれにより送られたシート長の目標値からの偏差によって確認することができる。
【０００６】
【発明の実施の形態】
本発明の実施の形態では、折りポケットはポケット下リップを備えたポケット口を有しており、第２の時点を把握する手段が折り形成の際にポケット下リップのふれを把握する手段として構成されている。折り形成の瞬間に、折りポケット内に延びているシートの一半部はポケット下リップに接触し、ポケット下リップに圧力を作用させる。これによってポケット下リップは折り形成の瞬間にふれる。ポケット下リップのふれの把握は、これにより簡単で確実な折り形成の時点の把握の可能性を提供する。この場合ポケット下リップのふれはストレンゲージ、圧電形のセンサあるいはまた光学的なセンサを介して調べることができる。
【０００７】
展開させた実施形態として、第１の時点を把握する手段は折りポケット内へのシート走入を把握する手段として構成されており、第２の時点を把握する手段は折りポケットからのシート走出を把握する手段として構成されている。この実施形態によって折り目位置の偏差は距離測定、すなわち送られたシート長を介して確認することができ、特に折り形成の時点の正確な把握は必要ではない。
【０００８】
更に、折りポケットはポケット口を有しており、シート走入及びシート走出を把握する手段がポケット口に配置されている。この形式で、折りポケット内のその全長におけるシートのせき止めを考慮することができ、これによって目標値からの偏差の値を比較的に大きく把握することができ、偏差はしたがって簡単に把握することができる。
【０００９】
展開させた実施形態として、シート走入を把握する手段及びシート走出を把握する手段は１つの共通な光学的なセンサを有している。本発明によるポケット折り機構のこのような構成は特に簡単にかつ安価に実施することができる。これにより、単に１つの光学的なセンサと、送られたシート長を決定する手段とによって、折り目位置の偏差を確認することができる。このような配置においてはシート上の折り目は送られたシート長の目標値からの偏差の半分だけずらされている。
【００１０】
更に、調整可能な折りポケットは少なくとも１つの電気的に付勢可能な調節装置を有しており、かつ制御ユニットが設けられており、この制御ユニットは、第１の時点を把握する手段、第２の時点を把握する手段及び第１の時点と第２の時点との間に送られるシート長を決定する手段の信号を処理して、折りポケットの電気的に付勢可能な調節装置を制御する。これによって、シート上における折り目位置のずれの単なる確認以外に、シート上における折り目位置の偏差を自動的に除去する可能性が得られる。折りポケットの調節装置が制御されることによって、折りポケット内に押し込まれるシート一半部の長さに、せき止め室内でせき止め折りが形成される間に影響を及ぼすことができる。これにより、例えばより大きな生産速度あるいは変化する紙堅さによる、せき止め過程中のシートの変化せしめられた変形を補償することができる。この場合調節装置としては電位差計を備えた調節モータあるいはステップモータを設けておくことができる。調節装置は例えば折りポケットストッパ、折りポケット広さ（ポケット上リップとポケット下リップとの間隔）、少なくとも一方の折りポケットリップあるいはまた折りポケット口を調節することができる。この制御ユニットは有利にはマイクロプロセッサを有している。
【００１１】
更に、本発明の有利な１実施形態では、光学的なセンサが個々のシート上における印刷像始開始点を把握するために設けられている。本発明のこの実施形態は、特に、印刷像がシート始端に対してずらされているか、若しくは変動している小冊子あるいはパンフレットを製作する場合に、有利である。折り目はこのようなシートにおいては正確に配置しなければならない。それは、そうでないとシート始端と印刷像開始点との間に変動がある場合に、縁が時々切り取られてしまうからである。印刷像開始点の把握は簡単な形式で、シートの透過又は反射を測定する光学的なセンサによって可能である。
【００１２】
制御ユニットが更に印刷像開始点を把握するセンサの信号を処理するのが、有利である。シート上の印刷像の位置に偏差が生じた場合でも、印刷像センサの信号を取り入れることによって、折り目の正確な位置を保証することができる。欠陥のある最終製品はこれによって回避される。
【００１３】
本発明はポケット折り機構の見当制御をする方法も提供するものであって、この方法によれば、学習段階（調整運転）において、第１の時点と第２の時点との間に送られるシート長の目標値を決定し、生産運転中に、送られるシート長の調べられた現在値を、電気的に付勢可能な調節装置の制御によって、目標値に制御する。このような方法によって、学習段階の終了後は、例えば複数の本発明によるポケット折り機構を備えた折り機の生産速度を変化させることができ、その場合手動により行わなければならない調整が必要になることはない。このような方法によれば、例えば空気湿度の変化によって変化せしめられた紙堅さを補償することもできる。
【００１４】
シートの印刷像開始点の制御の際に、各走入シートのためにシート走入とシートの印刷像開始点との間の長さ差を決定することも、提案される。印刷像に関してずらされた折り目をもたらす、シート走入とシートの印刷像開始点との間の変動する長さ差は、この実施形態によって認識され、したがって除去することができる。このことは有利には、目標値がシート走入とシートの印刷像開始点との間の長さ差によって修正されることによって行われる。このようなやり方によって、必要な目標値が印刷像開始点の制御の際に単に修正されるだけであり、したがってシート走入の制御の方法段階は維持することができ、単に１つの別の修正段階を補足するだけでよい。
【００１５】
【実施例】
以下においては、図面に示した実施例に基づいて本発明の構成を具体的に説明する。
【００１６】
図１は、シート１０を加工する本発明による折り機構を示す。第１の折りロール１２は第２の折りロール１４の鉛直上方に配置されている。第２の折りロールと水平に並んで別の、第３の折りロール１６が配置されている。すべての３つの折りロール１２，１４及び１６は一緒に駆動され、同じ円周速度を有している。シート１０を引き込むため、若しくはシートを折られた状態で引き続き搬送するために、折りロール１２と１４，若しくは１４と１６は、それぞれ互いに逆方向に回転する。図１においては、３つの折りロール１２，１４及び１６の間のせき止め室内で形成されたせき止め折りが両方の互いに逆向きに回転する折りロール１４及び１６によってつかまれる折り形成時点が示されている。このせき止め折りは次いで引き込まれ、その後下方に向かって折り機構から、例えば折り機の別の折り機構に送り出される。図１に示した折り機構は更に折りロール１２，１４及び１６の間のせき止め室に接するポケット口を備えた折りポケット１８を有している。ポケット口自体はポケット上リップ２０とポケット下リップ２２とによって形成されている。折りポケット内に押し込まれるシート長を制限するためにポケットストッパ２４が設けられている。
【００１７】
図示の本発明の実施例では、第１の時点は、シート１０の前縁が光学的なセンサ２６の下を通過することによって決定される。センサ２６は加えてシート１０上の印刷像開始点も認識する。このセンサは、シート１０の前縁が通過する際にも、またシート１０の印刷像がセンサ２６の下に達したときにも、信号を発する。折り形成の時点はセンサ２８によって把握され、このセンサはポケット下リップ２２に配置されている。図１に示した折り形成の時点に、折りポケット１８内に延びるシート１０の一半部はポケット下リップ２２に接触し、これに圧力を及ぼし、したがってポケット下リップ２２がふれる。このふれはセンサ２８によって把握され、このセンサは例えばストレンゲージとして構成されている。第１の、センサ２６によって決定される時点と、センサ２８によって決定される第２の時点との間に送られるシート長を決定するために、折りロール１６はその外周に歯３０を備えている。これらの歯３０はセンサ３２のところを通り、このセンサは例えば光学的なセンサによって形成されている。センサ３２によって一連のパルスが出され、これらのパルスは評価制御装置３４内の計数装置によって計数される。折りロール１６上の歯３０の数は既知であるので、評価制御装置３４内で、計数されたパルスと折りロール１２，１４及び１６の既知の円周とによって、送られたシート長も決定することができる。
【００１８】
センサ２６，２８及び３２の信号は評価制御装置３４に供給される。評価制御装置３４は調節装置３６を制御し、この調節装置は折りポケット１８内のポケットストッパ２４を調節する。
【００１９】
図１においては本発明によるポケット折り機構は学習段階において示されており、この学習段階においては第１の時点と第２の時点との間に送られるシート長が決定される。この目標値は学習段階の終了後に評価制御ユニット３４において使用される。
【００２０】
図２は図１のポケット折り機構を、生産速度が増大せしめられた場合あるいは紙堅さが変化した場合において示す。したがって折りポケット１８内に押し込まれたシート１０の部分は過度に変形せしめられる。これにより、図２に示した折り形成の時点においては、図１に示した学習段階の折り形成の時点におけるよりも、大きなシート長が送られている。したがって、シート１０の前縁がセンサ２６の下を通過する第１の時点と、折り形成がポケット下リップ２２のふれによりセンサ２８によって確認される第２の時点との間に送られたシート長の現在値の偏差が生じる。この目標値からの現在値の偏差は評価制御装置３４によって確認され、評価制御装置３４は調節装置３６をそれに基づき制御して、この調節装置はポケットストッパ２４をせき止め室の方向にずらし、これによってより小さなシート長が折りポケット１８若しくはせき止め室内に送られる。ポケットストッパ２４をせき止め室に向かう方向に、あるいは逆の方向に、ずらすことによって、これにより、送られたシート長の調べられた現在値を学習段階において決定された目標値に制御することを達成することができる。
【００２１】
図３においては図１及び２のセンサ２６，２８及び３２のセンサ信号の時間的な関係が示されている。図３の上方の線図においては、低速の場合の、換言すれば図１の状態でのセンサ信号が示されている。時点Ａにおいてはシート及び印刷像のセンサ２６がシート走入を把握する。増分信号発生器すなわちセンサ３２の２つのパルスの後に、やはりシート及び印刷像のセンサ２６によって、シート上における印刷像開始点が把握される。これによって修正値Ｌｒが決定され、この修正値はシートの印刷像を制御する場合に必要である。時点Ｂにおいて折り形成が行われ、この折り形成はセンサ２８の信号によって確認され、このセンサはポケット下リップ２２のふれを把握する。この場合シート走入の時点Ａと折り形成の時点Ｂとの間には、１２の増分信号発生器３２のパルスがあり、したがって学習段階で決定される、シート走入と折り形成との間に送られたシート長の目標値はＬｓ＝１２パルスに確認される。時点Ｃおいては送られたシートは最後にセンサ２６を完全に通過し、このセンサの信号は低いレベルに戻される。
【００２２】
図３の下方の線図は、図２に示された高速の状態でのセンサ信号の時間的関係に相応する。時点Ａにおいてやはりシート及び印刷像のセンサ２６によってシート走入が把握され、増分信号発生器３２の２つのパルスだけ後にシート上の印刷像開始点が確認される。これは修正値Ｌｒに相当する。高速ではシートは折りポケット内で、図２に示すように、波状に変形し、したがってより大きなシート長が折りポケット内に送られてから、せき止め折りを形成することができる。したがってセンサ２８が折り形成を確認する時点Ｂは遅れ、シート走入の時点Ａと折り形成の時点Ｂとの間にはシート長Ｌｓ＋ΔＬが送られる。図３に示した例ではΔＬは２パルスである。したがってこの付加的に送られるシート長ΔＬを補償するために、評価制御装置３４は調節装置３６を制御して、この調節装置が折りポケットストッパをずらして、シート走入の時点Ａと折り形成の時点Ｂとの間で確認されたパルス数が再び目標値Ｌｓになるようにしなければならない。
【００２３】
本発明によるポケット折り機構の第２実施例は図４及び図５に示されている。図１及び図２に示した構造エレメントと同じ構造エレメントには、図４及び図５においても同じ符号が付けられている。送られるシート長の値はここでは１つの光学的なセンサ４０によって調べられ、このセンサは、折りポケット１８のポケット口の可及的近くでポケットロッドの間に配置されている。光学的なセンサ４０はシート前縁の走入の際に覆われ、シート前縁が走出する際に開放され、したがって折りポケット１８内へのシート１０の前縁の走入及び折り形成後のシート１０の前縁の走出が把握される。折りロール１２，１４及び１６の間のせき止め室内でのせき止め折りの形成は図４においては破線で示されている。折りポケット１８内へのシート１０の前縁の走入の時点と、折りポケット１８からのその走出の時点との間に送られるシート長は、図１及び２に示した実施例におけるように、折りロール１６上に配置された歯３０、センサ３２及び評価制御装置３４によって決定され、この場合センサ４０の覆いと開放との間に生ずる、距離増分に相応するセンサ３２のパルスが計数される。これにより、測定された送られたシート長は平坦なシートの場合には、センサ４０からポケットストッパ２４までの距離の２倍に、せき止め室内でのせき止め折りの形成のために送られたシート長を加えたものに相当する。このせき止め折りの形成のために送られるシート長は、せき止め折りとしてせき止め室内に位置する、図４及び図５において破線で示されているシート長と、せき止め折りの形成の前にせき止め室を通る実線で示した伸長したシート長との差である。このせき止め折りを形成するために送られるシート長はポケット折り機構の生産速度とは無関係である。
【００２４】
図５は大きな生産速度あるいは紙堅さが減少せしめられた場合の図４のポケット折り機構を示す。折りロール１２，１４及び１６の間のせき止め室内に形成されるせき止め折りはやはり破線で示されている。図５に示した状態では、大きなシート長が折りポケット１８内に送られており、したがって折り目がずらされていることを認識することができる。シート１０の前縁が折りポケット１８内に走入する場合、シート１０はまだせき止められておらず、シート１０の前縁が折りポケット１８から走出する場合にはせき止めはもはや存在していない。要するに、図４に示した学習段階において、送られたシート長の目標値Ｌｓが把握されていると、図５に示した状態ではシート長現在値Ｌｓ＋ΔＬが把握される。シート上の折り目の位置はこれによりΔＳ＝０．５×ΔＬだけずらされており、したがってポケットストッパ２４を調節装置３６によってΔＳだけせき止め室の方向にずらして、折り目が再び最初の位置になるようにしなければならない。
【００２５】
図４及び図５に示した本発明によるポケット折り機構の実施例は一面では特に簡単に構成することができる。それは送られたシート長にとって重要な時点を決定するために単に１つの光学的なセンサ４０が必要であるに過ぎないからである。他面において、図示のポケット折り機構は特に故障し難い。それは光学的なセンサ４０によって、シート１０の前縁がセンサ４０の下を通過することが把握され、折り形成の時点における構造部材（ポケット下リップ）の比較的にわずかなふれを把握することは必要でないからである。
【００２６】
本発明によるポケット折り機構の第３実施例は図６及び図７に示されている。図６及び図７において図１及び図２におけると同じ符号を付けられている構造部分は図１及び図２と同じように構成されている。ところで、送られたシート長の値は本発明のこの実施例では次のことによって決定することができる。すなわち、先ずやはりシート１０の前縁がシート走行区間の規定された箇所を通過する第１の時点を決定する。センサ２６は折りポケット１８のポケット口の前方の自体任意の距離のところに、あるいはこのポケット口の可及的に近くに取り付けておくことができる。センサ２６，有利には光学的なセンサとして構成されているセンサ２６が、シート１０の前縁が通過したことを把握すると直ちに、その信号をやはり評価制御装置３４に供給することができる。これにより、既に述べた実施例に関連して説明したように、評価制御装置３４はパルスを、第２の信号がインプットされるまで、計数することができる。ところで本発明の第３実施例では、この第２の信号は次のことによって生ぜしめられる。すなわち、折りロール１４及び１６の後方で図７に示すように端面側に配置された制御光電検出系、すなわち送信器４０と受信器４２とから成る制御光電検出系が中断されることによって、生ぜしめられる。この箇所において、自体任意の電磁線を持って動作する光電検出系を使用することが可能であるけれども、ここでは極めて細い光線経過を有する光電検出系が有利に使用される。この場合、レーザ光線源及び相応するレーザセンサを使用するのが特に有利である。この場合、送信器４０から出る光線４４は次のように投射される。すなわちこの光線は両方の折りロール１４及び１６の軸線１５及び１７に対して平行ではないように、投射される。平行に投射されるのではなくて、光線４４は光源である送信器４０から次のように投射されるようにする。すなわち光線４４が軸線１５又は１７に対して有利には２０°までの小さな正又は負の角度で延びるようにする。送信器４０及び受信器４２をこのように配置する場合、直前に折られたシートの経路が光線経路と交差して、相応する信号が生ぜしめられ、この信号がやはり評価制御装置３４に送られることが保証されている。これによって調べられた第２の時点によって、既に説明したやり方で、送られたシート長の値を調べることができる。この値が、既に説明したシートのせき止めのために、貯蔵されている目標値と合致しない場合には、評価制御装置３４を介してやはり折りポケットストッパ２４をずらし、所望のシート長を生ぜしめることができる。
【００２７】
シート長を調べることは、既に述べた実施例では折りロール１６，すなわち外周に歯３０を備えている折りロール１６によって、行われた。これらの歯３０はセンサ３２を通過することによってパルスを生ぜしめ、これらのパルスは次いでやはり評価制御装置３４に供給される。もちろん、この本発明の特に有利な構成のほかに、別の増分信号発生器を使用し、この増分信号発生器が紙走行速度、特に折りロール１４及び１６の回転速度に連結されているようにすることも可能である。
【図面の簡単な説明】
【図１】本発明の第１実施例の概略図である。
【図２】シート速度がより大きい場合あるいは紙の堅さが減少している場合の図１の実施例の概略図である。
【図３】低速及び高速の場合における図１の実施例のセンサ信号の時間的な関係を示した概略図である。
【図４】本発明の第２実施例の概略図である。
【図５】シート速度がより大きい場合あるいは紙の堅さが減少している場合の図４の実施例の概略図である。
【図６】本発明の第３実施例の概略図である。
【図７】本発明の第３実施例における折りロール対の概略的平面図である。
【符号の説明】
１０  シート、  １２  第１の折りロール、  １４  第２の折りロール、  １５  軸線、  １６  第３の折りロール、  １７  軸線、  １８  折りポケット、２０  ポケット上リップ、  ２２  ポケット下リップ、  ２４  ポケットストッパ、  ２６  光学的なセンサ、  ２８  センサ、  ３０  歯、  ３２  センサ、  ３４  評価制御装置、  ３６  調節装置、  ４０  光学的なセンサ、送信器、  ４２  受信器、  ４４  光線、  Ａ  時点、  Ｂ  時点、  Ｃ  時点、  Ｌｒ  修正値、  Ｌｓ  シート長目標値、  Ｌｓ＋ΔＬ  シート長現在値
【図１】
0004173615.tif 000002
【図２】
0004173615.tif 000003
【図３】
0004173615.tif 000004
【図４】
0004173615.tif 000005
【図５】
0004173615.tif 000006
【図６】
0004173615.tif 000007
【図７】
0004173615.tif 000008